(57)【要約】【課題】外壁パネル体が居住空間に対向する窓部と、外壁パネル体が躯体構造物に対向するスパンドレル部とを設けた外壁を備えた建物において、スパンドレル部の外壁パネル体と躯体構造物との間の空間部を表示装置配設部とし、該表示装置配設部に、表示装置配設部の上方または下方に設けた開口から居住空間側に出し入れ自在な表示装置を配設するにあたり、表示装置の出し入れ作業の労力軽減を図る。【解決手段】表示装置１４を、照明器具２６と、表示装置配設部１５の躯体構造物５側を塞ぐとともに照明器具２６からの照射光を反射して屋外側から視認できるようにするための反射面部２５ａ〜２５ｃとから構成した。【選択図】図８
2019100038.tif 000002
【特許請求の範囲】
【請求項１】
外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を、表示装置配設部の上方または下方に設けた開口から居住空間側に出し入れ自在に配設するにあたり、該表示装置は、照明器具と、表示装置配設部の躯体構造物側を塞ぐとともに照明器具からの照射光を反射して屋外側から視認できるようにするための反射面部とを備えて構成されることを特徴とする建物外壁部における表示装置。
【請求項２】
請求項１において、照明器具は反射面部に着脱自在に取付けられるとともに、反射面部を表示装置配設部に配設したままの状態で、表示装置配設部の上方または下方に設けた開口から照明器具を反射面部に取付け、取外し自在に構成したことを特徴とする建物外壁部における表示装置。
【請求項３】
請求項１または２において、表示装置に、該表示装置を表示装置配設部から出し入れするときに表示装置の落下を防止する落下防止手段を設けたことを特徴とする建物外壁部における表示装置。
【請求項４】
請求項３において、落下防止手段は、スパンドレル部の外壁パネル体を支持する枠材と表示装置との間に架渡される紐状体であるとともに、該紐状体は、表示装置が表示装置配設部に配設されている状態で該表示装置の屋内側に配されていることを特徴とする建物外壁部における表示装置。
【請求項５】
外壁パネル体が居住空間に対向する窓部と、外壁パネル体が床、天井等の躯体構造物に対向するスパンドレル部とを設けた外壁を備えるとともに、スパンドレル部の外壁パネル体と躯体構造物との間に、外壁パネル体と間隙を存する状態で耐火パネル体を配設してなる建物において、スパンドレル部の外壁パネル体と耐火パネル体との間の空間部を表示装置配設部とし、該表示装置配設部に、外壁の屋外側に向けて表示を行う表示装置を配設するにあたり、該表示装置は、表示装置配設部の上方または下方に設けた開口から居住空間側に出し入れ自在な照明器具と、耐火パネル体の屋外側面に設けられるとともに照明器具からの照射光を反射して屋外側から視認できるようにするための反射面部とを備えて構成されることを特徴とする建物外壁部における表示装置。
【請求項６】
請求項１乃至５の何れか一項において、反射面部には、文字、図柄等の表示がなされていることを特徴とする建物外壁部における表示装置。
【発明の詳細な説明】
【技術分野】
【０００１】
本発明は、カーテンウォール等の建物外壁部における表示装置に関するものである。
【背景技術】
【０００２】
一般的に、建物の外壁のなかには、例えばカーテンウォールのように、外壁パネル体が居住空間に対向する窓部と、外壁パネル体が床、天井等の躯体構造物に対向するスパンドレル部とを設けたものがある。このような外壁において、スパンドレル部は、床、天井等の躯体構造物が外部から見えないように目隠しすることが要求される。そこで、従来、スパンドレル部の外壁パネル体の屋内側に耐火パネル体を配設し、該耐火パネル体によって防火と目隠しとを図るようにしたものが知られている（例えば、特許文献１参照）。
一方、建物の外壁部を利用して、宣伝広告や装飾等の様々な表示を行いたいという要望がある。この場合、表示装置を窓部に設けると、窓部の採光や屋内側からの視認性が損なわれる惧れがある。そこで、本出願人は、スパンドレル部の外壁パネル体と躯体構造物との間の空間部を表示装置配設部とし、該表示装置配設部に外壁の屋外側に向けて表示を行う表示装置を配設することで、スパンドレル部を利用して屋外側に向けて表示を行えるようにした技術を提唱している（例えば、特許文献２参照）。さらにこのものでは、表示装置を表示装置配設部から居住空間側に出し入れ自在に構成されており、これにより表示装置の交換やメンテナンスの作業性向上が図られている。
【先行技術文献】
【特許文献】
【０００３】
【特許文献１】特許第５２３２５８８号公報
【特許文献２】特許第６１２７１８９号公報
【発明の概要】
【発明が解決しようとする課題】
【０００４】
しかしながら、前記特許文献２の表示装置は、表示がなされる表示パネルと、該表示パネルに積層状に配設される導光パネルと、これら両パネルの四周を支持する枠体と、導光パネルを発光させるための光源とを備えて構成されたものであって、重量が重く、このため、表示装置の交換やメンテナンスの作業を行うべく表示装置を表示装置配設部から居住空間側に出し入れする場合に労力を要するという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を、表示装置配設部の上方または下方に設けた開口から居住空間側に出し入れ自在に配設するにあたり、該表示装置は、照明器具と、表示装置配設部の躯体構造物側を塞ぐとともに照明器具からの照射光を反射して屋外側から視認できるようにするための反射面部とを備えて構成されることを特徴とする建物外壁部における表示装置である。
請求項２の発明は、請求項１において、照明器具は反射面部に着脱自在に取付けられるとともに、反射面部を表示装置配設部に配設したままの状態で、表示装置配設部の上方または下方に設けた開口から照明器具を反射面部に取付け、取外し自在に構成したことを特徴とする建物外壁部における表示装置である。
請求項３の発明は、請求項１または２において、表示装置に、該表示装置を表示装置配設部から出し入れするときに表示装置の落下を防止する落下防止手段を設けたことを特徴とする建物外壁部における表示装置である。
請求項４の発明は、請求項３において、落下防止手段は、スパンドレル部の外壁パネル体を支持する枠材と表示装置との間に架渡される紐状体であるとともに、該紐状体は、表示装置が表示装置配設部に配設されている状態で該表示装置の屋内側に配されていることを特徴とする建物外壁部における表示装置である。
請求項５の発明は、外壁パネル体が居住空間に対向する窓部と、外壁パネル体が床、天井等の躯体構造物に対向するスパンドレル部とを設けた外壁を備えるとともに、スパンドレル部の外壁パネル体と躯体構造物との間に、外壁パネル体と間隙を存する状態で耐火パネル体を配設してなる建物において、スパンドレル部の外壁パネル体と耐火パネル体との間の空間部を表示装置配設部とし、該表示装置配設部に、外壁の屋外側に向けて表示を行う表示装置を配設するにあたり、該表示装置は、表示装置配設部の上方または下方に設けた開口から居住空間側に出し入れ自在な照明器具と、耐火パネル体の屋外側面に設けられるとともに照明器具からの照射光を反射して屋外側から視認できるようにするための反射面部とを備えて構成されることを特徴とする建物外壁部における表示装置である。
請求項６の発明は、請求項１乃至５の何れか一項において、反射面部には、文字、図柄等の表示がなされていることを特徴とする建物外壁部における表示装置である。
【発明の効果】
【０００６】
請求項１の発明とすることにより、表示装置を軽量なものとすることができて、表示装置の表示装置配設部からの出し入れ作業の労力が大幅に軽減され、表示装置の交換やメンテナンスの作業性向上に大きく貢献できる。
請求項２の発明とすることにより、照明器具の交換やメンテナンスを行う場合に、反射面部を表示装置配設部に配設したままの状態で照明器具を居住空間側に取出すことができて、更なるメンテナンス性の向上に貢献できる。
請求項３の発明とすることにより、表示装置配設部から出し入れする際の表示装置の落下を防止できる。
請求項４の発明とすることにより、表示装置配設部から出し入れする際の表示装置の落下を紐状体により防止できるとともに、該紐状体が屋外側から視認されることを回避できる。
請求項５の発明とすることにより、照明器具の交換やメンテナンスを行う場合に、照明器具を居住空間側に取出すことができて、照明器具の交換やメンテナンスの作業性向上に貢献できる。
請求項６の発明とすることにより、表示装置により文字、図柄等の表示が行われることになる。
【図面の簡単な説明】
【０００７】
【図１】カーテンウォールの概略正面図である。
【図２】第一の実施の形態におけるスパンドレル部および窓部の縦断面図である。
【図３】第一の実施の形態におけるスパンドレル部の縦断面図である。
【図４】第一の実施の形態におけるスパンドレル部の上部の拡大縦断面図である。
【図５】図５の右半部は図３のＸ−Ｘ矢視図、図５の左半部は点検カバーを取外した状態の図３の一部省略Ｘ−Ｘ矢視図である。
【図６】図６の右半部は表示装置を取出した状態の図３のＹ−Ｙ矢視図、図６の左半部は図３の一部省略Ｙ−Ｙ矢視図である。
【図７】第一の実施の形態における表示装置の出し入れの手順を説明する図である。
【図８】第一の実施の形態における表示装置および該表示装置の上側支持ブラケットへの取付けを示す斜視図（配線関係は省略）である。
【図９】第一の実施の形態における上側支持ブラケットの斜視図である。
【図１０】第二の実施の形態におけるスパンドレル部の縦断面図である。
【図１１】第二の実施の形態におけるスパンドレル部の上部の拡大縦断面図である。
【図１２】点検カバー、上側耐火ブロック、上側耐火ブロック支持ブラケットを取外した状態の図１０の一部省略Ｘ−Ｘ矢視図である。
【図１３】第二の実施の形態における表示装置の出し入れの手順を説明する図である。
【図１４】第二の実施の形態における照明器具の出し入れの手順を説明する図である。
【図１５】第二の実施の形態における照明器具の照明器具取付ブラケットからの取外しを説明する図である。
【図１６】第二の実施の形態における表示装置および該表示装置の上側支持ブラケットへの取付けを示す斜視図（配線関係は省略）である。
【図１７】第二の実施の形態の照明器具取付ブラケットの他例を示す斜視図である。
【図１８】第三の実施の形態におけるスパンドレル部の縦断面図である。
【図１９】（Ａ）、（Ｂ）は第三の実施の形態における照明器具取付ブラケットおよび該照明器具取付ブラケットの上側支持ブラケットへの取付けを示す斜視図、縦断面図（配線関係は省略）である。
【図２０】第四の実施の形態におけるスパンドレル部の縦断面図である。
【図２１】第四の実施の形態におけるスパンドレル部の下部の拡大縦断面図である。
【図２２】図２２の右半部は表示装置を取出した状態の図２０のＸ−Ｘ矢視図、図２２の左半部は図２０の一部省略Ｘ−Ｘ矢視図である。
【図２３】図２３の右半部は図２０のＹ−Ｙ矢視図、図２３の左半部は点検カバー、下側耐火ブロック支持ブラケットを取外した状態の図２０の一部省略Ｙ−Ｙ矢視図である。
【図２４】第四の実施の形態における表示装置の出し入れの手順を説明する図である。
【図２５】第五の実施の形態におけるスパンドレル部の縦断面図である。
【図２６】第五の実施の形態におけるスパンドレル部の下部の拡大縦断面図である。
【図２７】点検カバー、下側耐火ブロック支持ブラケット、下側耐火ブロック、下側耐火ブロックカバーを取外した状態の図２５の一部省略Ｘ−Ｘ矢視図である。
【図２８】第五の実施の形態における表示装置の出し入れの手順を説明する図である。
【図２９】第五の実施の形態における照明器具の出し入れの手順を説明する図である。
【図３０】（Ａ）、（Ｂ）は第六の実施の形態におけるスパンドレル部の縦断面図である。
【図３１】図３０の一部省略Ｘ−Ｘ矢視図である。
【図３２】（Ａ）は第七の実施の形態を示す斜視図、（Ｂ）は第八の実施の形態を示す斜視図、（Ｃ）は第九の実施の形態を示す斜視図である。
【０００８】
以下、本発明の実施の形態について、図面に基づいて説明する。
まず、本発明の第一の実施の形態について、図１〜図９に基づいて説明すると、１は建物の外壁に用いられるカーテンウォールであって、該カーテンウォール１は、方立（縦材、マリオン）２と無目（横材）３とからなる枠材の開口部に外壁パネル体４を取付けて形成されている。尚、図１は後述する他の実施の形態にも共用する。
【０００９】
前記カーテンウォール１には、外壁パネル体４が居住空間に対向する窓部１Ａと、外壁パネル体４が躯体構造物５（床５ａ、天井５ｂ、スラブ（最上階において天井５ｂの上側に設けられるスラブ、最下階において床５ａの下側に設けられるスラブ、中間階において床５ａと下階の天井５ｂとの間に設けられるスラブ等）５ｃ、腰壁５ｄ等）に対向するスパンドレル部１Ｂとが設けられているが、本実施の形態においてスパンドレル部１Ｂは、図１に示す如く、上下階の窓部１Ａの層間部、最上階の窓部１Ａの上側、および最下階の窓部１Ａの下側に設けられている。尚、前記外壁パネル体４は透明または透光性を有する材質から形成されているが、本実施の形態では、スパンドレル部１Ｂでは外壁パネル体４として高透過ガラスが用いられており、窓部１Ａでは複層ガラスが用いられている。また、本実施の形態（第一の実施の形態）および後述する他の実施の形態（第二〜第九の実施の形態）を説明するにあたり、外壁パネル体４の面方向に沿うと共に上下方向と直交する方向を、左右方向として説明する。
【００１０】
前記方立２は、該方立２の屋内側半部を構成し、水平断面が矩形中空状の方立本体部２Ａと、該方立本体部２Ａに一体形成され、方立２の屋外側半部を構成する外壁支持部２Ｂとから構成されている。そして方立２は、方立本体部２Ａが固定部材６（図２に図示、他の図面では図示せず）を介してスラブ５ｃ等の躯体構造物５に固定されることで、躯体側に取付け支持されるように構成されている。
【００１１】
前記方立２の外壁支持部２Ｂには、無目３の左右外端部が取付けられるとともに、上下の無目３間に位置する状態で、左右の方立アタッチメント７が取付けられている。そして、該左右の方立アタッチメント７の屋外側面部７ａと、外壁支持部２Ｂの屋外側端部に形成された見付け辺２Ｂａとの間に、外壁パネル体４の左右縦辺部が嵌合されるパネル嵌合溝２Ｂｂが形成されており、該パネル嵌合溝２Ｂｂに、ビート８やシーリング材９を介して外壁パネル体４の左右縦辺部が嵌合支持されている。
【００１２】
また、前記無目３は、その左右外端部が前記方立２の外壁支持部２Ｂに取付支持される状態で、左右に隣接する方立２間に支架されると共に、外壁パネル体４の上下辺部が嵌合されるパネル嵌合溝３ａを有しており、該無目３のパネル嵌合溝３ａに、外壁パネル体４の上下辺部がビート８やシーリング材９を介して嵌合支持されるようになっている。
尚、本実施の形態では、便宜上、スパンドレル部１Ｂの上下に配置される無目３のうち、スパンドレル部１Ｂと該スパンドレル部１Ｂの上階の窓部１Ａとを区画し、スパンドレル部１Ｂの外壁パネル体４の上辺部を支持すると共に上階の窓部１Ａの外壁パネル体４の下辺部を支持する無目３を第一無目３Ａと称し、また、スパンドレル部１Ｂと該スパンドレル部１Ｂの下階の窓部１Ａとを区画し、スパンドレル部１Ｂの外壁パネル体４の下辺部を支持すると共に下階の窓部１Ａの外壁パネル体４の上辺部を支持する無目３を第二無目３Ｂと称し、また、第一無目３Ａと第二無目３Ｂとを区別する必要がない場合には単に無目３と称して説明する。
【００１３】
一方、１０はけい酸カルシウム板等の耐火材から構成される耐火パネル体であって、火災時に上下階への延焼を防止するために設けられるものであるが、該耐火パネル体１０は、スパンドレル部１Ｂの外壁パネル体４と躯体構造物５との間に、外壁パネル体４と間隙を存する状態で配設されている。
【００１４】
ここで、本実施の形態の耐火パネル体１０は、上下方向は第一無目３Ａの屋内側から第二無目３Ｂの屋内側にまで亘り、また左右方向は、左右に隣接する方立２Ａの屋内側面部２Ａａ間に亘るように設けられているとともに、その上下部が、方立２の屋内側面部２Ａａにネジ等により取付けられた上側、下側支持フレーム１１、１２に支持されることで、方立２の屋内側に取付け支持されるようになっている。そして、該耐火パネル体１０とスパンドレル部１Ｂの外壁パネル体４との間で、且つ、左右に隣接する方立２の間の空間部が、後述する表示装置１４が配設される表示装置配設部１５に構成されている。
尚、本実施の形態において、前記上側、下側支持フレーム１１，１２は、その左右両端部が左右に隣接する方立２の屋内側面部２Ａａにそれぞれネジ１１ａ、１２ａにより取付けられることで、左右に隣接する方立２Ａの屋内側面部２Ａａ間に支架されるように設けられていて、耐火パネル体１０の上部、下部を左右方向略全長に亘って支持するようになっている。また、耐火パネル体１０の左右端部の上下方向中間部は、ネジ１３ａにより方立２Ａの屋内側面部２Ａａに取付けられる押さえブラケット１３によって支持されるようになっている。さらに、１６は左右に隣接する耐火パネル体１０間を塞ぐ被覆耐火材である。
【００１５】
前記耐火パネル体１０には、屋内外方向に貫通する配線用貫通孔１０ａが形成されている。そして、該配線用貫通孔１０ａを通して、連結ケープル１８が表示装置配設部１５内に引き込まれるようになっているとともに、該表示装置配設部１５に引き込まれた連結ケーブル１８の先端部には外部コネクタ１９が接続されている。
【００１６】
さらに、第一無目３Ａ（スパンドレル部１Ｂと該スパンドレル部１Ｂの上階の窓部１Ａとを区画する無目）の屋内側には、腰壁５ｄの上部に連結される膳板２１が配設されているが、該膳板２１の屋内側端部は、前記上側支持フレーム１１の上端部に一体形成される膳板支持部１１ｂにネジ２１ａを介して取付けられているとともに、該膳板２１の屋外側端面２１ｂは、その屋内外方向の位置が方立２の屋内側面部２Ａａと略同位置となるように設定されていて、第一無目３Ａと間隔を存する状態となっている。そして、該第一無目３Ａと膳板２１との間の間隙は、前記表示装置配設部１５の上方に位置していて、該表示装置配設部１５に配設された表示装置１４をスパンドレル部１Ｂの上階の居住空間側から出し入れするための開口２２になっているとともに、該開口２２は、後述する点検カバー２３によって開閉自在に覆蓋されている。
【００１７】
一方、前記表示装置１４は、後述する反射面部２５ａ〜２５ｃを備えたボックス２５と、該ボックス２５に組付けられる照明器具２６とを備えて構成されている。前記ボックス２５は、アルミ板等の薄板から形成されるものであって、表示装置配設部１５の屋内側（躯体構造物５側）を略全域に亘って塞ぐ矩形状の背面側反射面部２５ａと、該背面側反射面部２５ａの左側縁部から屋外側に向けて折曲形成され、表示装置配設部１５の左側を塞ぐ左側反射面部２５ｂｂと、背面側反射面部２５ａの右側縁部から屋外側に向けて折曲形成され、表示装置配設部１５の右側を塞ぐ右側反射面部２５ｃと、背面側反射面部２５ａの下側縁部から屋外側に向けて折曲形成される下面部２５ｄとにより、屋外側および上方が開口したボックス型に形成されている。そして、該ボックス２５の下面部２５ｄに照明器具２６が組付けられているとともに、該照明器具２６からの照射光は、前記背面側、左側、右側の反射面部２５ａ〜２５ｃに当たって反射され、スパンドレル部１Ｂの透明な外壁パネル体４を通して屋外側から視認されるようになっている。
【００１８】
ここで、前記表示装置１４は、照明器具２６から照射される光の色、強さ等を変化させることで、光による様々な表示を行うことができる。さらに、表示装置１４を構成する反射面部２５ａ〜２５ｃ（背面側、左側、右側の反射面部２５ａ〜２５ｃ）に、広告や装飾等のために、文字、図柄等の表示を塗装や印刷フィルム等により施すこともできる。そして、このように反射面部２５ａ〜２５ｃに文字、図柄等の表示が施されている場合には、前記照明器具２６からの光が反射面部２５ａ〜２５ｃを照射することによって屋外側から文字、図柄等の表示をはっきりと視認できる。
【００１９】
また、前記ボックス２５に組付けられる照明器具２６は、左右方向に延びる四角筒状のケース体２５ａの内部に複数のＬＥＤ（図示せず）が組み込まれたものであって、ボックス２５の下面部２５ｄに取付金具２７を介して組付けられている。そして、ケース体２６ａの内部のＬＥＤは、前記背面側、左側、右側の反射面部２５ａ〜２５ｃを下側から照射するべく照射光が上方を向くように組み付けられているとともに、ケース体２６ａの上面部はＬＥＤの照射光を通すように透光性を有している。
【００２０】
ここで、前記ボックス２５の下面部２５ｄの屋外側縁部には、該屋外側縁部から上方に向けて立上がる立上がり片２５ｅが一体形成されており、該立上がり片２５ｅによって、屋外側から照明器具２６自体が視認されないようになっている。また、ボックス２５の下面部２５ｄには、前記照明器具２６用の取付金具２７を止着するためのネジ２７ａを介して該ネジ２７ａよりも下方に突出する脚部２７ｂが取付けられている。そして、表示装置１４が表示装置配設部１５に配設された状態で、該脚部２７ｂの下端部が後述する下側耐火ブロックカバー４３の上面部４３ａに当接するようになっている。
【００２１】
さらに、前記照明器具２６から延びるコードは、内部コネクタ２８を介して延長コード２９に接続されているが、該延長コード２９は、背面側反射面部２５ａの下部に形成された貫通孔から引出されて背面側反射面部２５ａの屋内側に至り、該背面側反射面部２５ａと前記耐火パネル体１０とのあいだの空隙部を通って上方に延びて外部コネクタ１９に接続されている。そして、該外部コネクタ１９を介して連結ケーブル１８に接続されることによって、照明器具２６への給電や調光信号等の電気信号の授受が行われるようになっているが、外部コネクタ１９の断続は、前記開口２２から行えるようになっている。
【００２２】
また、前記ボックス２５の背面側反射面部２５ａの上部には、左右一対の表示装置取付アングル３０が取付けられている。該表示装置取付アングル３０は、背面側反射面部２５ａの屋内側面にネジ３０ａを介して取付けられる取付片３０ｂと、該取付片３０ｂの上端部から屋内側に向けて折曲形成される支持片３０ｃとを備えた逆Ｌ字形状のものであって、該表示装置取付アングル３０の支持片３０ｃを後述する上側支持ブラケット３１の表示装置支持片３１ｄに上側から当てがってネジ３０ｄで止着することによって、表示装置１４を表示装置配設部１５に着脱自在に取付けできるように構成されている。この場合に、表示装置取付アングル３０の支持片３０ｃを上側支持ブラケット３１の表示装置支持片３１ｄに止着するためのネジ３０ｄは上側から螺入されるように設定されており、これにより表示装置１４の着脱作業を、前記開口２２から行うことができるようになっている。
【００２３】
一方、前記表示装置配設部１５には、表示装置１４が表示装置配設部１５に配設された状態で該表示装置１４の上部屋内側に位置する左右一対の上側支持ブラケット３１と、表示装置１４の左右縁部の屋外側、屋内側に位置する屋外側、屋内側のガイドレール３２、３３とが設けられている。
【００２４】
前記左右一対の上側支持ブラケット３１は、ネジ３１ａを介して方立本体部２Ａの左右側面部２Ａｂに固定される取付片３１ｂと、該取付片３１ｂの上端部から折曲形成される上側耐火ブロック支持片３１ｃと、該上側耐火ブロック支持片３１ｃの先端部から折曲形成される表示装置支持片３１ｄとを備えて構成されている。そして、該上側支持ブラケット３１の表示装置支持片３１ｄに、表示装置１４の上部が前述した表示装置取付アングル３０を介して着脱自在に取付けられるようになっている。
【００２５】
また、前記屋外側ガイドレール３２は、上下方向に延びる水平断面矩形中空状のものであって、方立本体部２Ａの左右側面部２Ａｂにネジ３２ａを介して固定されている。そして、該屋外側ガイドレール３２の屋内側面部が、表示装置１４の左右縁部の屋外側を支持するとともに上下移動自在にガイドするガイド面部３２ｂに構成されている。また、屋内側ガイドレール３３は、上下方向に延びる水平断面Ｌ字形状のものであって、方立本体部２Ａの左右側面部２Ａｂにネジ３３ａを介して固定される取付面部３３ｂと、前記屋外側ガイドレール３２のガイド面部３２ｂに間隔を存して対向し、表示装置１４の左右縁部の屋内側を支持するとともに上下移動自在にガイドするガイド面部３３ｃとを備えて構成されている。
【００２６】
また、表示装置配設部１５に配設された表示装置１４と前記開口２２との間には、表示装置配設部１５の上側を塞ぐ上側耐火ブロック３５が着脱自在に配設されている。３６は該上側耐火ブロック３５を載置支持する上側耐火ブロック支持ブラケットであって、該上側耐火ブロック支持ブラケット３６は、第一無目３Ａの屋内側面部にネジ３７ａにより固定された第一無目アダプター３７と前述した上側支持ブラケット３１の上側耐火ブロック支持片３１ｃとに、ネジ３６ａ、３６ｂを介して着脱自在に取付けられている。さらに、この上側耐火ブロック支持ブラケット３６の上部に形成された点検カバー取付片３６ｃに、前記開口２２を開閉自在に覆蓋する点検カバー２３がネジ２３ａを介して着脱自在に取付けられているが、これら点検カバー２３用のネジ２３ａおよび上側耐火ブロック支持ブラケット３６用のネジ３６ａ、３６ｂは共に上側から螺入されるように設定されていて、点検カバー２３および上側耐火ブロック支持ブラケット３６の着脱作業を、スパンドレル部１Ｂの上階の居住空間から行うことができるようになっている。
尚、図中、３８は上側耐火ブロック支持ブラケット３６に載置された上側耐火ブロック３５の左右端部と方立本体部２Ａの左右側面部２Ａｂとの間を塞ぐ塞ぎ材である。また、３９は上側耐火ブロック支持ブラケット３６に取付けられた点検カバー２３の左右端部と方立本体部２Ａの左右側面部２Ａｂとの間を塞ぐビートまたはシーリングである。
【００２７】
一方、４０は天井側額縁であって、該天井側額縁４０は、前記表示装置配設部１５および耐火パネル体１０の下方に位置する状態で、第二無目３Ｂ（スパンドレル部１Ｂと該スパンドレル部１Ｂの下階の窓部１Ａとを区画する無目）から天井５ｂに至るように設けられているが、該天井側額縁４０の屋外側端部は、後述する下側耐火ブロックカバー４３に一体形成された額縁支持部４３ｄにネジ４０ａを介して取付け支持されている。
【００２８】
さらに、４１は前記表示装置配設部１５の下側を塞ぐ下側耐火ブロック４１、４２は該下側耐火ブロック４１を載置支持する左右の下側耐火ブロック支持ブラケットであって、該下側耐火ブロック支持ブラケット４２は、方立本体部２Ａの左右側面部２Ａｂにネジ４２ａを介して固定されている。また、４３は下側耐火ブロックカバーであって、該下側耐火ブロックカバー４３は、下側耐火ブロック４１の上側を覆う上面部４３ａと、第二無目３Ｂにネジ４３ｂを介して固定される取付片４３ｃと、該取付片４３ｃの下部に一体形成され、前記天井側額縁４０の屋外側端部を支持する額縁支持部４３ｄとを備えて形成されている。そして、該下側耐火ブロックカバー４３の上面部４３ａには、前述したように、表示装置１４のボックス下面部２５ｄに取付けられた脚部２７ｂの下端部が当接するようになっている。
尚、図中、４４は下側耐火ブロック４１の左右端部と方立本体部２Ａの左右側面部２Ａｂとの間を塞ぐ塞ぎ材である。また、前記上側、下側耐火ブロック３５、４１は、前記耐火ブロック１０と同様に、火災時における延焼を防止するべく耐火材から構成されるものであるが、上側耐火ブロック３５は本実施の形態では３つに分割されていて、取出し、取付け作業の容易化が図られている。
【００２９】
そして、この様に構成された第一の実施の形態のものにおいて、表示装置配設部１５に配設された表示装置１４をメンテナンス等のために取り出す場合には、まず、表示装置配設部１５が設けられたスパンドレル部１Ｂの上階の居住空間側から点検カバー２３を取外して、表示装置配設部１５の上方の開口２２を開く。そして、該開口２２から上側耐火ブロック３５を取出してから、上側耐火ブロック支持ブラケット３６を取外す。これにより、表示装置配設部１５の上方は開放された状態となるが、この状態で、外部コネクタ１９を外し、さらに、表示装置１４の上部に取付けられた表示装置取付アングル３０を、上側支持ブラケット３１から取外す。しかる後、表示装置１４を上側に引き出して、表示装置配設部１５から居住空間側に取り出す。このときの表示装置１４の上動は、表示装置１４の左右両側が屋外側、屋内側のガイドレール３２、３３にガイドされることでスムーズに行うことができる。
【００３０】
一方、表示装置１４を表示装置配設部１５に配設する場合には、表示装置配設部１５が設けられたスパンドレル部１Ｂの上階の居住空間から、開口２２を通して表示装置１４を表示装置配設部１５に収納する。このときの表示装置１４の下動は、該表示装置１４の左右両側が屋外側、屋内側のガイドレール３２、３３にガイドされることで屋内外方向にずれることなくスムーズに行われる。そして、表示装置１４の下端部（脚部２７ｂの下端部）が下側耐火ブロックカバー４３の上面部４３ａに当接するまで下動させてから、表示装置１４の上部を表示装置取付アングル３０を介して上側支持ブラケット３１の表示装置支持片３１ｄに取付け支持せしめる。次いで、外部コネクタ１９を接続し、さらに、上側耐火ブロック支持ブラケット３６を取付け、該上側耐火ブロック支持ブラケット３６に上側耐火ブロック３５を載置する。しかる後、上側耐火ブロック支持ブラケット３６の点検カバー取付片３６ｃに点検カバー２３を取付けて開口２２を塞ぐことによって、表示装置１５の表示装置配設部１５への配設作業が完了するようになっている。
尚、本実施の形態では、左右方向一列状に連設される状態で複数の表示装置配設部１５が設けられており、各表示装置配設部１５に配設された表示装置１４の照明器具２６同士は連結ケーブル１８を介して電気的に接続されていて、複数の表示装置１４の電気的制御を同時に行えるようになっている。そして、これら複数の表示装置１４の照明器具２６のうちの少なくとも１つは、図２に示す如く、耐火パネル体１０の屋内側に配置された電源盤４５にケーブル４６を介して連結されるようになっている。尚、電源盤４５には、電源スイッチやコントローラ等が設けられるが、該電源盤４５へのアクセスは、腰壁５ｄに開閉自在に設けられた点検口５ｆから行えるようになっている。
【００３１】
叙述の如く構成された本発明の第一の実施の形態において、建物の外壁としてのカーテンウォール１には、外壁パネル体４が居住空間に対向する窓部１Ａと、外壁パネル体４が床５ａ、天井５ｂ等の躯体構造物５に対向するスパンドレル部１Ｂとが設けられているが、該スパンドレル部１Ｂの外壁パネル体４と躯体構造物５との間の空間部は表示装置配設部１５となっており、該表示装置配設部１５には、カーテンウォール１の屋外側に向けて表示を行う表示装置１４が配されることになる。しかも、該表示装置１４は、表示装置配設部１５の上方に設けた開口２２から居住空間側に出し入れ自在に構成されており、而して、屋外側からの目隠しが必要なスパンドレル部１Ｂを利用して表示装置１４を配設できるとともに、表示装置１４の交換やメンテナンス等を行う場合には、表示装置１４をスパンドレル部１Ｂの上階の居住空間側から出し入れできることになるが、該表示装置１４は、照明器具２６と、表示装置配設部１５の躯体構造物５側を塞ぐとともに照明器具２６からの照射光を反射して屋外側から視認できるようにするため反射面部２５ａ〜２５ｃ（本実施の形態では、表示装置配設部１５の躯体構造物５側を塞ぐ背面側反射面部２５ａと、該背面側反射面部２５ａに一体形成される左側反射面部２５ｂおよび右側反射面部２５ｃ）とを備えて構成されている。
【００３２】
この様に、本実施の形態の表示装置１４は、照明器具２６からの照射光が反射面部２５ａ〜２５ｃにより反射されて屋外側から視認されることにより光による様々な表示を行えることになるが、該反射面部２５ａ〜２５ｃは、照明器具２６からの照射光を反射させるためのものであるからアルミ板等の薄板を用いて形成することができ、而して、反射面部２５ａ〜２５ｃと照明器具２６とから構成される表示装置１４を軽量なものとすることができて、表示装置１４の表示装置配設部１５からの出し入れ作業の労力が大幅に軽減され、表示装置１４の交換やメンテナンスの作業性向上に大きく貢献できることになる。
【００３３】
さらにこのものにおいて、反射面部２５ａ〜２５ｃに文字や図柄等の表示を施すことにより、表示装置１４によって文字や図柄等の表示も行えることになる。
【００３４】
次いで、本発明の第二の実施の形態について、図１０〜図１６に基づいて説明するが、該第二の実施の形態のものも、前述した第一の実施の形態のものと同様に、スパンドレル部１Ｂの外壁パネル体４と躯体構造物５との間の空間部が表示装置配設部１５になっており、該表示装置配設部１５には、カーテンウォール１の屋外側に向けて表示を行う表示装置５０が配設されている。そして、第二の実施の形態のものにおいても、表示装置配設部１５の上方に設けられた開口２２から表示装置５０を居住空間側に出し入れできる構成となっているが、第二の実施の形態の表示装置５０は、詳細を後述するように、反射面部５１ａ〜５１ｄを備えたボックス５１と、該ボックス５１の上部に着脱自在に組付けられる照明器具取付ブラケット５２と、該照明器具取付ブラケット５２に取付けられた照明器具５３とを備えて構成されているとともに、ボックス５１を表示装置配設部１５に配設したままの状態で、照明器具取付ブラケット５２に取付けられた照明器具５３を、居住空間側からボックス５１に組込み、組外しできる構成となっている。
尚、第二の実施の形態において、第一の実施の形態と同一或いは略同一のものは、同一の符号を附すとともに、説明を簡略あるいは省略する。
【００３５】
前記第二の実施の形態のボックス５１は、前述した第一の実施の形態のボックス２５と同様の背面側反射面部５１ａ、左側反射面部５１ｂおよび右側反射面部５１ｃと、背面側反射面部５１ａの下側縁部から屋外側に向けて折曲形成される下側反射面部５１ｄとにより屋外側および上方が開口したボックス型に形成されるものであるが、さらに第二の実施の形態のボックス５１には、背面側反射面部５１ａの上縁部から屋外側に向けて折曲形成される取付片部５１ｅが一体形成されている。
【００３６】
一方、前記照明器具取付ブラケット５２は、前記ボックス５１の取付片部５１ｅに上側から当接する上面部５２ａと、該上面部５２ａの屋外側縁部から下方に向けて折曲形成される前面部５２ｂとを備えた逆Ｌ字形状のものであって、上面部５２ａには、取付金具２７を介して照明器具５３が取付けられている。該照明器具５３は、第一の実施の形態の照明器具２６と同様の構造のものであって、左右方向に延びるケース体５３ａの内部に複数のＬＥＤが組み込まれているが、第二の実施の形態の照明器具５３は、前記背面側、左側、右側、下側の反射面部５１ａ〜５１ｄを上側から照射するべくＬＥＤの照射光が下方を向くように組み付けられている。また、前記照明器具取付ブラケット５２の前面部５２ｂは、上面部５２ａに取付けられた照明器具５３の前方を覆うように設けられていて、照明器具５３自体が屋外側から視認されないようになっている。
【００３７】
そして、照明器具取付ブラケット５２は、前記照明器具５３が取付けられた状態で、上面部５２ａをボックス５１の取付片部５１ｅに上側から当接させ、該上面部５２ａを上側から螺入されるネジ５２ｃを介して取付片部５１ｅに止着することで、ボックス５１の上部に着脱自在に取付けられるようになっている。これにより、ボックス５１を表示装置配設部１５に配設したままの状態で、照明器具５３が取付けられた照明器具取付ブラケット５２を、表示装置配設部１５の上方に設けられた開口２２から居住空間側に出し入れできるようになっている。
【００３８】
ここで、前記照明器具５３から延びるコードは、内部コネクタ２８を介して延長コード２９に接続されており、該延長コード２９は、背面側反射面部５１ａの上部に形成された貫通孔から引出されて背面側反射面部５１ａの屋内側に至って、第一の実施の形態と同様に外部コネクタ１９を介して連結ケーブル１８に接続されている。そして、該外部コネクタ１９の断続は、第一の実施の形態と同様に、表示装置配設部１５の上方の開口２２から行えるようになっているが、さらに、第二の実施の形態のものでは、前記ボックス５１の取付片部５１ｅおよび照明器具取付ブラケット５２の上面部５２ａの左右両端部に切欠き部５１ｆ、５２ｄが形成されていて、該切欠き部５１ｆ、５２ｄから手を入れて内部コネクタ２８の断続を行えるようになっており、これにより、内部コネクタ２８の断続も前記開口２２から行えるようになっている。
【００３９】
そして、この様に構成された第二の実施の形態のものにおいて、表示装置配設部１５に配設された表示装置５０をメンテナンス等のために取り出す場合には、第一の実施の形態の場合と同様に、スパンドレル部１Ｂの上階の居住空間側から点検カバー２３を取外して表示装置配設部１５の上方の開口２２を開き、該開口２２から上側耐火ブロック３５、上側耐火ブロック支持ブラケット３６を順次取外して、表示装置配設部１５の上方を開放された状態にする。この状態で、外部コネクタ１９を外してから、表示装置５０の上部に取付けられた表示装置取付アングル３０を上側支持ブラケット３１から取外し、しかる後、表示装置５０を開口２２から上側に引き出すことにより、表示装置配設部１５の上方の居住空間に表示装置５０を取出すことができる。一方、表示装置配設部１５に表示装置５０を配設する場合には、スパンドレル部１Ｂの上階の居住空間から、開口２２を通して表示装置配設部１５に表示装置５０を収納する。そして、表示装置５０の下端部（ボックス５１の下側反射面部５１ｄ）が下側耐火ブロックカバー４３の上面部４３ａに当接するまで下動させてから、表示装置５０の上部を表示装置取付アングル３０を介して上側支持ブラケット３１に取付け支持せしめる。次いで、外部コネクタ１９を接続し、さらに、上側耐火ブロック支持ブラケット３６、上側耐火ブロック３５を順次取付けてから、点検カバー２３を取付けて開口２２を塞ぐことによって、表示装置５０の表示装置配設部１５への配設作業が完了するようになっている。尚、第二の実施の形態のものにおいて、前記点検カバー２３、上側耐火ブロック３５、上側耐火ブロック支持ブラケット３６、表示装置取付アングル３０、上側支持ブラケット３１、下側耐火ブロックカバー４３の構成は、第一の実施の形態と同様である。
【００４０】
さらに、このものでは、表示装置５０を構成するボックス５１を表示装置配設部１５に配設したままの状態で、照明器具５３を表示装置配設部１５から出し入れすることができる。この場合には、まず、前述した表示装置５０を取出す場合と同様の手順で、点検カバー２３、上側耐火ブロック３５、上側耐火ブロック支持ブラケット３６を順次取外して、表示装置配設部１５の上方を開放された状態にする。この状態で、ボックス５１の取付片部５１ｅおよび照明器具取付ブラケット５２の上面部５２ａに形成の切欠き部５１ｆ、５２ｄから手を入れて内部コネクタ２８を外してから、表示装置配設部１５に配設されたままのボックス５１の取付片部５１ｅから照明器具取付ブラケット５２を取外すことにより、該照明器具取付ブラケット５２に取付けられた照明器具５３を、表示装置配設部１５の上方の開口２２から居住空間側に取出すことができる。そして、照明器具５３の交換やメンテナンスの終了後は、該照明器具５３が取付けられた照明器具取付ブラケット５２を、表示装置配設部１５に配設されたままのボックス５１の取付片部５１ｅに取付け、さらに内部コネクタ２８を接続してから、前述した表示装置５０を収納する場合と同様の手順で、上側耐火ブロック支持ブラケット３６、上側耐火ブロック３５、点検カバー２３を取付けて開口２２を塞ぐことにより、ボックス５１を表示装置配設部１５に配設したままでの照明器具５３の交換やメンテナンスを行うことができる。
【００４１】
而して、叙述の如く構成された本発明の第二の実施の形態においても、第一の実施の形態と同様に、スパンドレル部１Ｂの外壁パネル体４と躯体構造物５との間の空間部は表示装置配設部１５となっており、該表示装置配設部１５には、カーテンウォール１の屋外側に向けて表示を行う表示装置５０が、表示装置配設部１５の上方に設けた開口２２から出し入れ自在な状態で配されるとともに、該表示装置５０は、照明器具５３と反射面部５１ａ〜５１ｃ（本実施の形態では、表示装置配設部１５の躯体構造物５側を塞ぐ背面側反射面部５１ａと、該背面側反射面部５１ａに一体形成される左側反射面部５１ｂおよび右側反射面部５１ｃ）とを備えて構成されている。よって、第二の実施の形態のものも、前述した第一の実施の形態と同様の作用効果を奏することになって、表示装置５０の交換やメンテナンスの作業性向上に大きく貢献できることになるが、さらに第二の実施の形態のものでは、照明器具５３が、該照明器具５３が取付けられる照明器具取付ブラケット５２、および背面側反射面部５１ａに一体形成される取付片部５１ｅを介して、背面側反射面部５１ａに着脱自在に取付けられているとともに、反射面部５１ａ〜５１ｃを表示装置配設部１５に配設したままの状態で、照明器具５３を前記開口２２から背面側反射面部５１ａに取付け、取外し自在に構成されている。
【００４２】
この結果、照明器具５３のみの交換やメンテナンスを行う場合には、反射面部５１ａ〜５１ｃを表示装置配設部１５に配設したままの状態で、照明器具５３を居住空間側に取出すことができることになって、更なるメンテナンス性の向上に貢献できる。
【００４３】
ここで、前記第二の実施の形態のように、照明器具が取付けられた照明器具取付ブラケットをボックスに着脱自在に取付けるあたり、照明器具取付ブラケットの形状やボックスへの取付けは、表示装置配設部の上方の開口から行えれば種々のものを採用することができ、例えば、図１７に示すごとく、ボックス５１の取付片部５１ｅおよび照明器具取付ブラケット５２の上面部５２ａを、左右方向に幅狭なものとして左右一対設けてもよい。また、照明器具取付ブラケット５２の前面部５２ｂは、前述したように照明器具５３自体を屋外側から視認されないように設けられているが、このような前面部が設けられていないものであっても良い。
【００４４】
次いで、本発明の第三の実施の形態について、図１８〜図１９に基づいて説明するが、該第三の実施の形態のものも、前述した第一、第二の実施の形態のものと同様に、スパンドレル部１Ｂの外壁パネル体４と躯体構造物５との間の空間部が表示装置配設部１５になっており、該表示装置配設部１５には、カーテンウォール１の屋外側に向けて表示を行う表示装置６０が配設されているが、第三の実施の形態の表示装置６０は、詳細を後述するように、表示装置配設部１５の上方に設けられた開口２２から居住空間側に出し入れ自在な照明器具６１と、表示装置配設部１５の屋内側に配設された耐火パネル体１０の屋外側面に設けられる反射面部６２とから構成されている。尚、第三の実施の形態において、前記第一、第二の実施の形態と同一或いは略同一のものは、同一の符号を附すとともに、説明を簡略あるいは省略する。
【００４５】
前記第三の実施の形態の照明器具６１は、前述した第一、第二の実施の形態の照明器具２６、５３と同様の構造のものであって、左右方向に延びるケース体６１ａ内に複数のＬＥＤが組込まれているが、第三の実施の形態の照明器具６１は、後述する照明器具取付ブラケット６３を介して、左右一対の上側支持ブラケット３１に着脱自在に取付け支持されている。該左右一対の上側支持ブラケット３１は、第一、第二の実施の形態の上側支持ブラケット３１と同様のものであって、ネジ３１ａを介して方立本体部２Ａの左右側面部２Ａｂに固定される取付片３１ｂと、該取付片３１ｂの上端部から折曲形成される上側耐火ブロック支持片３１ｃと、該上側耐火ブロック支持片３１ｃの先端部から折曲形成される表示装置支持片３１ｄとを備えて構成されている。
【００４６】
また、前記照明器具取付ブラケット６３は、前面部６３ａと、該前面部６３ａから屋外側に向けて折曲形成される左右一対の取付片６３ｂとを備えて形成されている。該左右一対の取付片６３ｂには、取付金具２７を介して照明器具６１が取付けられているとともに、取付片６３ｂの屋内側半部には、前記上側支持ブラケット３１の表示装置支持片３１ｄに上側から当接する取付座６３ｃが形成されている。そして、該取付座６３ｃを上側支持ブラケット３１の表示装置支持片３１ｄに上側から当てがってネジ６３ｄで止着することによって、照明器具取付ブラケット６３を表示装置配設部１５に着脱自在に取付けできるように構成されている。この場合に、照明器具取付ブラケット６３の取付座６３ｃを上側支持ブラケット３１の表示装置支持片３１ｄに止着するためのネジ６３ｄは上側から螺入されるように設定されており、これにより、照明器具６１が取付けられた照明器具取付ブラケット６３の着脱作業を、表示装置配設部１５の上方の開口２２から行うことができるようになっている。尚、第四の実施の形態の照明器具６１は前記第二の実施の形態の照明器具５３と同様に、ＬＥＤの照射光が下方を向くように照明器具取付ブラケット６３の取付片６３ｂに取付けられている。また、照明器具取付ブラケット６３の前面部６３ａは照明器具６１の前方を覆うように設けられていて、照明器具６１自体が屋外側から視認されないようになっている。
【００４７】
一方、第三の実施の形態の反射面部６２は、前述したように、表示装置配設部１５の屋内側に配設された耐火パネル体１０の屋外側面に設けられている。該耐火パネル体１０は、前記第一、第二の実施の形態の耐火パネル体１０と同様のものであって、スパンドレル部１Ｂの外壁パネル体４と躯体構造物５との間に、外壁パネル体４と間隙を存する状態で配設されているとともに、上下方向は第一無目３Ａの屋内側から第二無目３Ｂの屋内側にまで亘り、また左右方向は、左右に隣接する方立２Ａの屋内側面部２Ａａ間に亘るように設けられているが、該耐火パネル体１０の屋外側面に、該屋外側面の略全域に亘る状態で反射面部６２が設けられている。該反射面部６２は、第一、第二の実施の形態のボックス２５、５１と同様にアルミ板等の薄板から形成されるものであって、前記照明器具６１からの照射光を反射し、これにより照明器具６１の照射光がスパンドレル部１Ｂの透明な外壁パネル体４を通して屋外側から視認されるようになっている。そして、この第三の実施の形態の表示装置６０も、第一、第二の実施の形態と同様に、照明器具６１から照射される光の色、強さ等を変化させることで、光による様々な表示を行うことができるとともに、反射面部６２に、広告や装飾等のために、文字、図柄等の表示が塗装や印刷フィルム等により施されたものを採用することもできる。また、第三の実施の形態では、反射面部６２をアルミ板等の薄板から形成されるものとしたが、耐火パネル体１０の屋外側面に直接貼着されるフィルムや、耐火パネル体１０の屋外側面を塗装した塗装面を反射面部としても良い。
【００４８】
そして、この様に構成された第三の実施の形態のものにおいて、表示装置配設部１５に配設された照明器具６１をメンテナンス等のために取り出す場合には、第一、第二の実施の形態の場合と同様の手順で、上側耐火ブロック３５、上側耐火ブロック支持ブラケット３６を順次取外して、表示装置配設部１５の上方を開放された状態にする。この状態で、外部コネクタ１９または内部コネクタ２８を外してから、照明器具取付ブラケット６３を上側支持ブラケット３１から取外すことにより、該照明器具取付ブラケット６３に取付けられた照明器具６１を、表示装置配設部１５の上方の開口２２から居住空間側に取出すことができる。そして、照明器具６１の交換やメンテナンスの終了後は、該照明器具６１が取付けられた照明器具取付ブラケット６３を、開口２２から表示装置配設部１５に収納して上側支持ブラケット３１に取付支持せしめ、さらに前記取外された外部コネクタ１９または内部コネクタ２８を接続してから、第一、第二の実施の形態と同様の手順で、上側耐火ブロック支持ブラケット３６、上側耐火ブロック３５、点検カバー２３を取付けて開口２２を塞ぐことにより、照明器具６１の表示装置配設部１５への配設作業が終了する。
尚、第三の実施の形態のものにおいて、前記点検カバー２３、上側耐火ブロック３５、上側耐火ブロック支持ブラケット３６、表示装置取付アングル３０、上側支持ブラケット３１の構成は、第一の実施の形態と同様であるが、第三の実施の形態の表示装置配設部１５には、第一、第二の実施の形態のような屋内側、屋外側ガイドレールは設けられていない。
【００４９】
叙述の如く構成された本発明の第三の実施の形態において、建物の外壁としてのカーテンウォール１には、外壁パネル体４が居住空間に対向する窓部１Ａと、外壁パネル体４が床５ａ、天井５ｂ等の躯体構造物５に対向するスパンドレル部１Ｂとが設けられているとともに、スパンドレル部１Ｂの外壁パネル体４と躯体構造物５との間には、外壁パネル体４と間隙を存する状態で耐火パネル体１０が配設されているが、該スパンドレル部１Ｂの外壁パネル体４と耐火パネル体１０との間の空間部は表示装置配設部１５となっており、該表示装置配設部１５には、カーテンウォール１の屋外側に向けて表示を行う表示装置６０が配されることになる。該表示装置６０は、表示装置配設部１５の上方に設けた開口２２から居住空間側に出し入れ自在な照明器具６１と、耐火パネル体１０の屋外側面に設けられるとともに照明器具６１からの照射光を反射して屋外側から視認できるようにするための反射面部６２とを備えて構成されており、而して、屋外側からの目隠しが必要なスパンドレル部１Ｂと該スパンドレル部１Ｂに配される耐火パネル体１０とを利用して表示装置６０を配設できるとともに、照明器具６１の交換やメンテナンス等を行う場合には、照明器具６１を上記開口２２から居住空間側に取出すことができて、照明器具６１の交換やメンテナンスの作業性向上に貢献できることになる。
【００５０】
次いで、本発明の第四の実施の形態について、図２０〜図２４に基づいて説明するが、該第四の実施の形態のものも、前述した第一〜第三の実施の形態のものと同様に、スパンドレル部１Ｂの外壁パネル体４と躯体構造物５との間の空間部が表示装置配設部１５になっており、該表示装置配設部１５には、カーテンウォール１の屋外側に向けて表示を行う表示装置７０が配設されている。そして、第四の実施の形態のものも、第一、第二の実施の形態と同様に、表示装置７０を表示装置配設部１５に居住空間側から出し入れできる構成となっているが、第四の実施の形態のものでは、表示装置７０を出し入れするための開口７１が表示装置配設部１５の下方に設けられている。
尚、第四の実施の形態において、前記第一〜第三の実施の形態と同一或いは略同一のものは、同一の符号を附すとともに、説明を簡略あるいは省略する。
【００５１】
前記表示装置配設部１５の下方に設けられる開口７１は、第二無目３Ｂと、該第二無目３Ｂの屋内側に設けられる天井側額縁７２の屋外側端面７２ａとの間に設けられている。つまり、天井側額縁７２は、第二無目３Ｂの屋内側から天井５ｂに至るように設けられるが、第四の実施の形態の天井側額縁７２は、その屋外側端面７２ａの屋内外方向の位置が方立本体部２Ａの屋内側面部２Ａａと略同位置に設定されていて、第二無目３Ｂとは間隔を存する状態になっている。そして、該第二無目３Ｂと天井側額縁７２との間の間隙は、表示装置配設部１５の下方に位置していて、該表示装置配設部１５に配設された表示装置７０をスパンドレル部１Ｂの下階の居住空間側から出し入れするための開口７１になっているとともに、該開口７１は、後述する点検カバー７３によって開閉自在に覆蓋されている。
尚、前記天井側額縁７２の屋外側端部は、耐火パネル体１０の下部を支持する下側支持フレーム１２の下端部に一体形成された額縁支持部１２ｂにネジ７２ｂを介して取付けられている。
【００５２】
一方、第四の実施の形態の表示装置７０は、前述した第一の実施の形態と同様に、アルミ板等の薄板から形成される反射面部７４ａ〜７４ｄを備えたボックス７４と、該ボックス７４に組付けられる照明器具７５とを備えて構成されているが、第四の実施の形態のボックス７４は、第一の実施の形態と同様の背面側反射面部７４ａ、左側反射面部７４ｂおよび右側反射面部７４ｃと、背面側反射面部７４ａの下側縁部から屋外側に向けて折曲形成される下側反射面部７４ｄと、背面側反射面部７４ａの上側縁部から屋外側に向けて折曲形成される上面部７４ｅとにより、屋外側が開口したボックス型に形成されている。そして、該ボックス７４の上面部７４ｅに照明器具７５が照明器具取付金具２７を介して取付けられているとともに、該照明器具７５からの照射光は、前記背面側、左側、右側、下側の反射面部７４ａ〜７４ｄに当たって反射され、スパンドレル部１Ｂの透明な外壁パネル体４を通して屋外側から視認されるようになっている。
尚、第四の実施の形態の表示装置７０も、前述した第一〜第四の実施の形態と同様に、照明器具７５から照射される光の色、強さ等を変化させることで、光による様々な表示を行うことができるとともに、反射面部７４ａ〜７４ｄに、広告や装飾等のために、文字、図柄等の表示が塗装や印刷フィルム等により施されたものを採用することもできる。
【００５３】
また、第四の実施の形態の照明器具７５は、前記第一〜第三の実施の形態の照明器具２６、５３、６１と同様の構造のものであって、左右方向に延びるケース体７５ａの内部に複数のＬＥＤが組み込まれているが、第四の実施の形態の照明器具７５は、前記背面側、左側、右側、下側の反射面部７４ａ〜７４ｄを上側から照射するべくＬＥＤの照射光が下方を向くように組み付けられている。また、上面部７４ｅの屋外側縁部には、該屋外側縁部から下方に向けて立下がる立下がり片７４ｆが一体形成されており、該立上がり片７４ｆによって、屋外側から照明器具７５自体が視認されないようになっている。
【００５４】
さらに、前記照明器具７５から延びるコードは、内部コネクタ２８を介して延長コード２９に接続されており、該延長コード２９は、背面側反射面部７４ａの下部に形成された貫通孔から引出されて背面側反射面部７４ａの屋内側に至って、第一〜第三の実施の形態と同様に外部コネクタ１９を介して連結ケーブル１８に接続されているが、該外部コネクタ１９の断続は、第四の実施の形態では、表示装置配設部１５の下方の開口７１から行えるようになっている。
【００５５】
また、前記ボックス７４の背面側反射面部７４ａの下部には、左右一対の表示装置取付アングル７６が取付けられている。該表示装置取付アングル７６は、背面側反射面部７５ａの屋内側面にネジ７６ａを介して取付けられる取付片７６ｂと、該取付片７６ｂの下端部から屋内側に向けて折曲形成される支持片７６ｃとを備えたＬ字形状のものであって、該表示装置取付アングル７６の支持片７６ｃを後述する下側支持ブラケット７７の表示装置支持片７７ｄに下側から当てがってネジ７６ｄで止着することによって、表示装置７０を表示装置配設部１５に着脱自在に取付けできるように構成されている。この場合に、表示装置取付アングル７６の支持片７６ｃを下側支持ブラケット７７の表示装置支持片７７ｄに止着するためのネジ７６ｄは下側から螺入されるように設定されており、これにより表示装置７０の着脱作業を、表示装置配設部１５の下方の開口７１から行うことができるようになっている。
【００５６】
前記下側支持ブラケット７７は、表示装置７０が表示装置配設部１５に配設された状態で該表示装置７０の下部屋内側に位置するように、方立本体部２Ａの左右側面部２Ａｂに固定される左右一対のものであって、ネジ７７ａを介して方立本体部２Ａの左右側面部２Ａｂに固定される取付片７７ｂと、該取付片７７ｂの下端部から折曲形成される下側耐火ブロック支持片７７ｃと、該下側耐火ブロック支持片７７ｃの先端部から折曲形成される表示装置支持片７７ｄとを備えて構成されている。そして、該下側支持ブラケット７７の表示装置支持片７７ｄに、前述したように表示装置７０の下部が表示装置取付アングル７６を介して着脱自在に取付けられるようになっている。尚、前記表示装置取付アングル７６、下側支持ブラケット７７は、第一、第二の実施の形態の表示装置取付アングル３０、上側支持ブラケット３１と上下逆形状のものである。
【００５７】
また、表示装置配設部１５に配設された表示装置７０と前記開口７１との間には、表示装置配設部１５の下側を塞ぐ下側耐火ブロック７８が着脱自在に配設されている。７９は下側耐火ブロック７８の上側および屋外側、屋内側を覆う下側耐火ブロックカバーであって、該下側耐火ブロックカバー７９は、第二無目３Ａに固定された中空矩形状の第二無目アダプター８０と前述した下側支持ブラケット７７の下側耐火ブロック支持片７７ｃとに、ネジ７９ａ、７９ｂを介して着脱自在に取付けられている。さらに、８１は下側耐火ブロック７８を載置支持する下側耐火ブロック支持ブラケットであって、該下側耐火ブロック支持ブラケット８１は、前記下側耐火ブロックカバー７９に、ネジ８１ａを介して着脱自在に取付けられている。さらに、この下側耐火ブロック支持ブラケット８１の下部には点検カバー取付片８１ｂが形成されており、該点検カバー取付片８１ｂに前記開口７１を開閉自在に覆蓋する点検カバー７３がネジ７３ａを介して着脱自在に取付けられているが、これら点検カバー７３用のネジ７３ａ、上側耐火ブロック支持ブラケット８１用のネジ８１ａおよび下側耐火ブロックカバー７９用のネジ７９ａ、７９ｂは共に下側から螺入されるように設定されていて、点検カバー７３、下側耐火ブロック支持ブラケット８１および下側耐火ブロックカバー７９の着脱作業を、スパンドレル部１Ｂの下階の居住空間から行うことができるようになっている。
尚、表示装置７０は、表示装置取付アングル７６が下側支持ブラケット７７に取付けられた状態で、ボックス７４の下側反射面部７４ｄの下面に取付けられた緩衝材７４ｇが下側耐火ブロックカバー７９の上面に当接するようになっている。また、図中、８２は下側耐火ブロック７８の左右端部と方立本体部２Ａの左右側面部２Ａｂとの間を塞ぐ塞ぎ材である。さらに、８６は下側耐火ブロック支持ブラケット８１に取付けられた点検カバー７３の左右端部と方立本体部２Ａの左右側面部２Ａｂとの間を塞ぐビートまたはシーリングである。
【００５８】
一方、８３は表示装置配設部１５の上側を塞ぐ上側耐火ブロック、８４は該上側耐火ブロック８４を載置支持する上側耐火ブロック支持ブラケットであって、該上側耐火ブロック支持ブラケット８４は、第一無目３Ａの屋内側面部に固定された第一無目アダプター３７にネジ８４ａにより止着されている。さらに、該上側耐火ブロック支持ブラケット８４の屋外側上部には、膳板８５の屋外側端部が取付けられる膳板支持部８４ｂが一体形成されている。
尚、前記上側、下側耐火ブロック８３，７８は、前記第一〜第三の上側、下側耐火ブロック３５，４１と同様に、火災時における延焼を防止するべく耐火材から構成されるものであるが、本実施の形態の下側耐火ブロック７８はでは２つに分割されていて、取出し、取付け作業の容易化が図られている。
【００５９】
また、前記膳板８５は、表示装置配設部１５および耐火パネル体１０の上方に位置する状態で、第一無目３Ａから腰壁５ｂの上部に至るように設けられるが、該膳板８５の屋外側端部は、前記上側耐火ブロック支持ブラケット８４に形成の膳板支持部８４ｂにネジ８５ａを介して取付け支持されるようになっている。
【００６０】
そして、この様に構成された第四の実施の形態のものにおいて、表示装置配設部１５に配設された表示装置７０をメンテナンス等のために取り出す場合には、まず、表示装置配設部１５が設けられたスパンドレル部１Ｂの下階の居住空間側から点検カバー７３を取外して、表示装置配設部１５の下方の開口７１を開く。そして、該開口７１から下側耐火ブロック支持ブラケット８１、下側耐火ブロック７８、下側耐火ブロックカバー７９を順次取外す。これにより、表示装置配設部１５の下方は開放された状態となるが、この状態で、外部コネクタ１９を外し、さらに、表示装置７０の下部に取付けられた表示装置取付アングル７６を、下側支持ブラケット７７から取外す。しかる後、表示装置７０を下側に引き出して、表示装置配設部１５から居住空間に取り出す。このときの表示装置７０の下動は、表示装置７０の左右両側が屋外側、屋内側のガイドレール３２、３３にガイドされることでスムーズに行うことができる。
【００６１】
一方、表示装置７０を表示装置配設部１５に配設する場合には、表示装置配設部１５が設けられたスパンドレル部１Ｂの下階の居住空間から、開口７１を通して表示装置配設部１５に表示装置７０を収納する。このときの表示装置７０の上動は、該表示装置７０の左右両側が屋外側、屋内側のガイドレール３２、３３にガイドされることで屋内外方向にずれることなくスムーズに行われる。そして、表示装置７０の下部に取付けられた表示装置取付アングル７６の支持片７６ｃが下側支持ブラケット７７の表示装置支持片７７ｃに当接するまで上動させてから、表示装置取付アングル７６の支持片７６ｃを下側支持ブラケット７７の表示装置支持片７７ｃに取付け支持せしめる。次いで、外部コネクタ１９を接続し、さらに、下側耐火ブロックカバー７９、下側耐火ブロック７８、下側耐火ブロック支持ブラケット８１を順次取付ける。しかる後、下側耐火ブロック支持ブラケット８１の点検カバー取付片８１ｂに点検カバー７３を取付けて開口７１を塞ぐことによって、表示装置７０の表示装置配設部１５への配設作業が完了するようになっている。
【００６２】
而して、叙述の如く構成された本発明の第四の実施の形態のものは、第一の実施の形態と同様に、スパンドレル部１Ｂの外壁パネル体４と躯体構造物５との間の空間部が表示装置配設部１５となっており、該表示装置配設部１５には、カーテンウォール１の屋外側に向けて表示を行う表示装置７０が居住空間側から出し入れ自在な状態で配されるとともに、該表示装置７０は、照明器具７５と反射面部７４ａ〜７４ｄ（本実施の形態では、表示装置配設部１５の躯体構造物５側を塞ぐ背面側反射面部７４ａと、該背面側反射面部７４ａに一体形成される左側反射面部７４ｂ、右側反射面部７４ｃおよび下側反射面部７４ｄ）とを備えて構成されている。よって、第四の実施の形態のものも、前述した第一の実施の形態と同様の作用効果を奏することになるが、第四の実施の形態のものでは、表示装置７０を居住空間側に出し入れするための開口７１が表示装置配設部１５の下方に設けられており、而して、表示装置７０をスパンドレル部１Ｂの下階の居住空間側から出し入れできることになる。
【００６３】
次いで、本発明の第五の実施の形態について、図２５〜図２９に基づいて説明するが、該第五の実施の形態のものも、前述した第一〜第四の実施の形態のものと同様に、スパンドレル部１Ｂの外壁パネル体４と躯体構造物５との間の空間部が表示装置配設部１５になっており、該表示装置配設部１５には、カーテンウォール１の屋外側に向けて表示を行う表示装置９０が配設されている。そして、第五の実施の形態のものでは、第四の実施の形態と同様に、表示装置配設部１５の下方に設けられた開口７１から表示装置９０を居住空間側に出し入れできる構成となっているが、第五の実施の形態の表示装置９０は、詳細を後述するように、反射面部９１ａ〜９１ｄを備えたボックス９１と、該ボックス９１の下部に着脱自在に組付けられる照明器具取付ブラケット９２と、該照明器具取付ブラケット９２に取付けられた照明器具９３とを備えて構成されているとともに、ボックス９１を表示装置配設部１５に配設したままの状態で、照明器具取付ブラケット９２に取付けられた照明器具９３を居住空間側からボックス９１に組込み、組外しできる構成となっている。
尚、第五の実施の形態において、前記第一〜第四の実施の形態と同一或いは略同一のものは、同一の符号を附すとともに、説明を簡略あるいは省略する。
【００６４】
前記第五の実施の形態のボックス９１は、第四の実施の形態と同様の背面側反射面部９１ａ、左側反射面部９１ｂおよび右側反射面部９１ｃと、背面側反射面部９１ａの上側縁部から屋外側に向けて折曲形成される上側反射面部９１ｄとにより屋外側および下方が開口したボックス型に形成されるものであるが、さらに第五の実施の形態のボックス９１には、背面側反射面部９１ａの下縁部から屋外側に向けて折曲形成される取付片部９１ｅが一体形成されている。
【００６５】
一方、前記照明器具取付ブラケット９２は、前記ボックス９１の取付片部９１ｅに下側から当接する下面部９２ａと、該下面部９２ａの屋外側縁部から上方に向けて折曲形成される前面部９２ｂとを備えたＬ字形状のものであって、下面部９２ａには、取付金具２７を介して照明器具９３が取付けられている。該照明器具９３は、前記第一〜第四の実施の形態の照明器具２６、５３，６１、７５と同様の構造のものであって、左右方向に延びるケース体９３ａの内部に複数のＬＥＤが組み込まれているが、第五の実施の形態の照明器具９３は、前記背面側、左側、右側、上側の反射面部９１ａ〜９１ｄを下側から照射するべくＬＥＤの照射光が上方を向くように組み付けられている。さらに、前記照明器具取付ブラケット９２の前面部９２ｂは、下面部９２ａに取付けられた照明器具９３の前方を覆うように設けられていて、照明器具９３自体が屋外側から視認されないようになっている。また、照明器具取付ブラケット９２の下面部９２ａには、照明器具９３用の取付金具２７を止着するためのネジ２７ａを介して該ネジ２７ａよりも下方に突出する脚部２７ｂが取付けられているとともに、該脚部２７ｂには、緩衝材９４が脚部２７ｂよりも下方に突出する状態で装着されている。そして、該緩衝材９４は、表示装置９１が表示装置配設部１５に配設された状態で、下側耐火ブロックカバー７９の上面に当接するようになっている。
【００６６】
そして、照明器具取付ブラケット９２は、前記照明器具９３が取付けられた状態で、下面部９２ａをボックス９１の取付片部９１ｅに下側から当接させ、該下面部９２ａを下側から螺入されるネジ９２ｃを介して取付片部９１ｅに止着することで、ボックス９１の下部に着脱自在に取付けられるようになっている。これにより、ボックス９１を表示装置配設部１５に配設したままの状態で、照明器具９３が取付けられた照明器具取付ブラケット９２を、表示装置配設部１５の下方に設けられた開口７１から居住空間側に出し入れできるようになっている。
【００６７】
ここで、前記照明器具９３から延びるコードは、内部コネクタ２８を介して延長コード２９に接続されており、該延長コード２９は、背面側反射面部９１ａの下部に形成された貫通孔から引出されて背面側反射面部９１ａの屋内側に至って連結ケーブル１８に接続されている。そして、該外部コネクタ１９の断続は、第四の実施の形態と同様に、表示装置配設部１５の下方の開口７１から行えるようになっているが、さらに、第四の実施の形態のものでは、前記ボックス９１の取付片部９１ｅおよび照明器具取付ブラケット９２の下面部９２ａの左右両端部に切欠き部９１ｆ、９２ｄが形成されていて、該切欠き部９１ｆ、９２ｄから手を入れて内部コネクタ２８の断続を行えるようになっており、これにより、内部コネクタ２８の断続も前記開口７１から行えるようになっている。
【００６８】
そして、この様に構成された第五の実施の形態のものにおいて、表示装置配設部１５に配設された表示装置９０をメンテナンス等のために取り出す場合には、第四の実施の形態の場合と同様に、スパンドレル部１Ｂの下階の居住空間側から点検カバー７３を取外して表示装置配設部１５の下方の開口７１を開き、該開口７１から下側耐火ブロック支持ブラケット８１、下側耐火ブロック７８、下側耐火ブロックカバー７９を順次取外して、表示装置配設部１５の下方を開放された状態にする。この状態で、外部コネクタ１９を外してから、表示装置９０の下部に取付けられた表示装置取付アングル７６を下側支持ブラケット７７から取外し、しかる後、表示装置９０を開口７１から下側に引き出すことにより、表示装置配設部１５の下方の居住空間に表示装置９０を取出すことができる。一方、表示装置配設部１５に表示装置９０を配設する場合には、スパンドレル部１Ｂの下階の居住空間から、開口７１を通して表示装置配設部１５に表示装置９０を収納する。そして、表示装置９０の下部を表示装置取付アングル７６を介して下側支持ブラケット７７に取付け支持せしめる。次いで、外部コネクタ１９を接続し、さらに、下側耐火ブロックカバー７９、下側耐火ブロック７８、下側耐火ブロック支持ブラケット８１を順次取付けてから、点検カバー７３を取付けて開口７１を塞ぐことによって、表示装置９０の表示装置配設部１５への配設作業が完了するようになっている。尚、第五の実施の形態のものにおいて、前記点検カバー７３、下側耐火ブロックカバー７９、下側耐火ブロック７８、下側耐火ブロック支持ブラケット８１、表示装置取付アングル７６、下側支持ブラケット７７の構成は、第四の実施の形態と同様である。
【００６９】
さらに、このものでは、表示装置９０を構成するボックス９１を表示装置配設部１５に配設したままの状態で、照明器具９３を表示装置配設部１５から出し入れすることができる。この場合には、まず、前述した表示装置９０を取出す場合と同様の手順で、点検カバー７３、下側耐火ブロック支持ブラケット８１、下側耐火ブロック７８、下側耐火ブロックカバー７９を順次取外して、表示装置配設部１５の下方を開放された状態にする。この状態で、ボックス９１の取付片部９１ｅおよび照明器具取付ブラケット９２の下面部９２ａに形成の切欠き部９１ｆ、９２ｄから手を入れて内部コネクタ２８を外してから、表示装置配設部１５に配設されたままのボックス９１の取付片部９１ｅから照明器具取付ブラケット９２を取外すことにより、該照明器具取付ブラケット９２に取付けられた照明器具９３を、表示装置配設部１５の下方の開口７１から居住空間側に取出すことができる。そして、照明器具９３の交換やメンテナンスの終了後は、該照明器具９３が取付けられた照明器具取付ブラケット９２を、表示装置配設部１５に配設されたままのボックス９１の取付片部９１ｅに取付け、さらに内部コネクタ２８を接続してから、前述した表示装置９０を収納する場合と同様の手順で、下側耐火ブロックカバー７９、下側耐火ブロック７８、下側耐火ブロック支持ブラケット８１、点検カバー７３を取付けて開口７１を塞ぐことにより、ボックス９１を表示装置配設部１５に配設したままで照明器具９３の交換やメンテナンスを行うことができる。
【００７０】
而して、叙述の如く構成された本発明の第五の実施の形態のものは、第二の実施の形態と同様に、スパンドレル部１Ｂの外壁パネル体４と躯体構造物５との間の表示装置配設部１５に、表示装置９０が居住空間側から出し入れ自在な状態で配されるとともに、該表示装置９０は、照明器具９３と反射面部９１ａ〜９１ｄ（本実施の形態では、表示装置配設部１５の躯体構造物５側を塞ぐ背面側反射面部９１ａと、該背面側反射面部９１ａに一体形成される左側反射面部９１ｂ、右側反射面部９１ｃおよび上側反射面部９１ｄ）とを備えて構成されている。さらに、照明器具９３は、該照明器具９３が取付けられる照明器具取付ブラケット９２、および背面側反射面部９１ａに一体形成される取付片部９１ｅを介して、背面側反射面部９１ａに着脱自在に取付けられているとともに、反射面部９１ａ〜９１ｄを表示装置配設部１５に配設したままの状態で、照明器具９３を居住空間側から背面側反射面部９１ａに取付け、取外し自在に構成されている。よって、第五の実施の形態のものも、前述した第二の実施の形態と同様の作用効果を奏することになるが、第五の実施の形態のものでは、表示装置９０や照明器具９３を居住空間側に出し入れするための開口７１が表示装置配設部１５の下方に設けられており、而して、表示装置７０や照明器具９３をスパンドレル部１Ｂの下階の居住空間側から出し入れできることになる。
【００７１】
ところで、前記第四、第五の実施の形態のように表示装置を出し入れするための開口が表示装置配設部の下方に設けられている場合、表示装置を出し入れする際に表示装置が居住空間側に落下してしまう惧れがある。このため、第四、第五の実施の形態では、万一落下したとしても表示装置が損傷しないように、表示装置の下部に緩衝材（第四の実施の形態ではボックス７４の下側反射面部７４ｄの下面に取付けられた緩衝材７４ｇ、第五の実施の形態では脚部２７ｂに装着された緩衝材９４）が設けられているが、図３０〜図３１に示す第六の実施の形態のものには、後述する落下防止手段が設けられている。
尚、第六の実施の形態のものは、落下防止手段が設けられている以外は第四の実施の形態と同様のものであるため、落下防止手段以外の説明は省略するとともに、第四の実施の形態と同一或いは略同一のものは同一の符号を附す。
【００７２】
９５は前記落下防止手段を構成する左右一対のチェーン（本発明の紐状体に相当する）であって、該チェーン９５は、表示装置配設部１５に配設された表示装置７０の屋内側に位置する状態で、一端側がボックス７４の背面側反射面部７４ａの上部にネジ９５ａを介して止着され、他端側が屋内側ガイドレール３３の取付面部３３ｂを間に介装する状態で方立本体部２Ａの左右側面部２Ａｂにネジ９５ｂを介して止着されている。つまり、チェーン９５は、スパンドレル部１Ｂの外壁パネル体４を支持する枠材である方立２と表示装置７０との間に架渡されており、これにより、表示装置７０を表示装置配設部１５の下方の開口７１から出し入れする際に、万一表示装置７０から手が離れても、該表示装置７０はチェーン９５により吊持された状態となって落下しないように構成されている。また、９５ｃはチェーン９５の連結部であって、該連結部９５ｃを外すことで、チェーン９５を表示装置７０に止着される一半側と方立２側に止着される他半側とに分離できるようになっている。
【００７３】
叙述の如く構成された本発明の第六の実施の形態のものでは、表示装置７０を表示装置配設部１５から居住空間側に出し入れする際に表示装置７０が落下してしまうことを防止するための落下防止手段として、スパンドレル部１Ｂの外壁パネル体４を支持する方立２と表示装置７０との間にチェーン９５が架渡されている。この結果、表示装置７０を表示装置配設部１５から出し入れするときに、万一表示装置７０から手が離れても表示装置７０が落下してしまうことを確実に防止できることになる。しかも、前記チェーン９５は、表示装置配設部１５に配設された表示装置７０の屋内側に位置するように設けられているから、屋外側から視認されることなく、よって、チェーン９５が表示装置７０の表示を損ねてしまうような惧れを回避できる。
【００７４】
尚、本発明は上記第一〜第六の実施の形態に限定されないことは勿論であって、表示装置や照明器具を出し入れする開口を、表示装置配設部の上下何れに設けるか、あるいは、照明器具を表示装置配設部のどの位置に配設するか等は、必要に応じて適宜設定できる。例えば、第一の実施の形態のものにおいて、照明器具を表示装置配設部の上部に配置したい場合には、ボックスの上部に照明器具を取付ければ良いし、第四の実施の形態のものにおいて、照明器具を表示装置配設部の下部に配置したい場合には、ボックスの下部に照明器具を取付ければ良い。また、第三の実施の形態のように反射面部が耐火パネル体の屋内側面に設けられているものにおいて、照明器具を表示装置配設部の下部に配置するとともに該照明器具を表示装置配設部の上方に設けた開口から出し入れしたい場合には、図３２（Ａ）に示す第七の実施の形態の如く、照明器具１０１を上下方向に延びる照明器具取付バー１０２の下部に取付けるとともに、該照明器具取付バー１０２の上端部を、第三の実施の形態の場合と同様に上側支持ブラケット３１に着脱自在に取付け支持せしめることにより、照明器具取付バー１０２と一緒に照明器具１０１を表示装置配設部の上方の開口から出し入れできる。さらに、第三の実施の形態のように反射面部が耐火パネル体の屋内側面に設けられているものにおいて、照明器具を表示装置配設部の下方に設けた開口から出し入れする構成にすることもできる。
さらに、上記第一〜第七の実施の形態では、照明器具は表示装置配設部の上部あるいは下部の何れか一方に配置されているが、図３２（Ｂ）、図３２（Ｃ）に示す第八、第九の実施の形態の如く、照明器具を表示装置配設部の上部および下部に配置させることもできる。つまり、第八の実施の形態のものでは、表示装置１０３を、背面側、左側、右側の反射面部１０４ａ〜１０４ｃ、上面部１０４ｄ、下面部１０４ｅを備えたボックス１０４と、上面部１０４ｄおよび下面部１０４ｅに取付けられた上下の照明器具１０５とを備えて構成するとともに、上下の照明器具１０２によって上下両方向から反射面部１０１ａ〜１０１ｃを照射するようになっている。また、第九の実施の形態のものでは、表示装置を、上下方向に延びる照明器具取付バー１０６の上下部に取付けられた上下の照明器具１０７と、第三の実施の形態と同様に耐火パネル体の屋外側面に設けられた反射面部（図示せず）とから構成するとともに、上下の照明器具１０７によって上下両方向から反射面部を照射するようになっている。尚、第八、第九の実施の形態のものでは、ボックス１０４や照明器具取付バー１０６の上部が第一〜第三の実施の形態と同様にして上側支持ブラケット３１に着脱自在に取付支持されているとともに、表示装置配設部の上方に設けられた開口から表示装置１０３や照明器具１０７を出し入れする構成になっているが、第八、第九の実施の形態のものを、第四、第五の実施の形態のもののように、表示装置配設部の下方に設けられた開口から出し入れする構成にすることも勿論できる。
【００７５】
また、上記第一、第二、第四〜第六、第八の実施の形態のものでは、複数の反射面部によりボックスを形成しているが、このようなボックス型のものでなくても、少なくとも表示装置配設部の躯体構造物側を塞ぐ反射面部（各実施の形態の背面側反射面部）が設けられていれば、本発明を実施できる。
【００７６】
さらに、上記各実施の形態では、建物の外壁として、方立と無目とを枠材として外壁パネル体が組み込まれたカーテンウォールを例示したが、このようなカーテンウォールに限定されることなく、例えば、サッシ枠を枠材として外壁パネル体が組み込まれた外壁等であっても、窓部とスパンドレル部とが設けられている外壁であれば、本発明を実施できる。
さらに、上記各実施の形態では、窓部もスパンドレル部も外壁パネル体として透明なガラス材が用いられているが、このように全ての外壁パネル体が透明な材質のものでなくても、スパンドレル部の少なくとも一部、つまり、表示装置が配設される部分の外壁パネル体が透明または透光性を有していれば、本発明を実施できる。
さらに、上記第六の実施の形態では、落下防止手段として、方立と表示装置との間にチェーンが架渡されているが、これに限定されることなく、例えばワイヤ等を用いて落下防止手段を構成することもできる。また、落下防止手段が架渡される枠材としては、方立に限定されることなく、スパンドレル部の外壁パネル体を支持する他の枠材（例えば、無目やサッシ枠）であっても良い。
【産業上の利用可能性】
【００７７】
本発明は、カーテンウォール等の建物外壁部に表示装置を設ける場合に利用することができる。
【符号の説明】
【００７８】
１  カーテンウォール
１Ａ  窓部
１Ｂ  スパンドレル部
２  方立
４  外壁パネル体
５  躯体構造物
１０  耐火パネル体
１４  表示装置
１５  表示装置配設部
２２  開口
２５  ボックス
２５ａ〜２５ｃ  反射面部
２６  照明器具
５０  表示装置
５１  ボックス
５１ａ〜５１ｃ  反射面部
５３  照明器具
６０  表示装置
６１  照明器具
６２  反射面部
７０  表示装置
７１  開口
７４  ボックス
７４ａ〜７４ｄ  反射面部
７５  照明器具
９０  表示装置
９１  ボックス
９１ａ〜９１ｄ  反射面部
９３  照明器具
９５  チェーン
１０１  照明器具
１０３  表示装置
１０４  ボックス
１０４ａ〜１０４ｃ  反射面部
１０５照明器具
１０７  照明器具
【図１】
2019100038.tif 000003
【図２】
2019100038.tif 000004
【図３】
2019100038.tif 000005
【図４】
2019100038.tif 000006
【図５】
2019100038.tif 000007
【図６】
2019100038.tif 000008
【図７】
2019100038.tif 000009
【図８】
2019100038.tif 000010
【図９】
2019100038.tif 000011
【図１０】
2019100038.tif 000012
【図１１】
2019100038.tif 000013
【図１２】
2019100038.tif 000014
【図１３】
2019100038.tif 000015
【図１４】
2019100038.tif 000016
【図１５】
2019100038.tif 000017
【図１６】
2019100038.tif 000018
【図１７】
2019100038.tif 000019
【図１８】
2019100038.tif 000020
【図１９】
2019100038.tif 000021
【図２０】
2019100038.tif 000022
【図２１】
2019100038.tif 000023
【図２２】
2019100038.tif 000024
【図２３】
2019100038.tif 000025
【図２４】
2019100038.tif 000026
【図２５】
2019100038.tif 000027
【図２６】
2019100038.tif 000028
【図２７】
2019100038.tif 000029
【図２８】
2019100038.tif 000030
【図２９】
2019100038.tif 000031
【図３０】
2019100038.tif 000032
【図３１】
2019100038.tif 000033
【図３２】
2019100038.tif 000034